(57)【要約】【課題】既設の外装材を留めている既設ボルトに、連結用ボルトを専用の工具を用いることなく手動で容易に固定することができる重ね張り材の固定用ボルト部材を提供することを提供すること。【解決手段】既設の外装材１を留めている既設ボルト２のねじ軸２１に被嵌し、圧着によりねじ軸２１に固定されるビッカース硬さが５５〜１２０の金属からなる円筒状のスリーブ３と、スリーブ３の上部に固定された連結用ボルト４とを備える。【選択図】図１
2010018995.tif 000002
【特許請求の範囲】
【請求項１】
既設の外装材を留めている既設ボルトのねじ軸に被嵌し、圧着により該ねじ軸に固定されるビッカース硬さが５５〜１２０の金属からなる円筒状のスリーブと、該スリーブの上部に固定された連結用ボルトとを備えたことを特徴とする重ね張り材の固定用ボルト部材。
【請求項２】
連結用ボルトの先端部を円錐状に尖らせたことを特徴とする請求項１記載の重ね張り材の固定用ボルト部材。
【請求項３】
請求項１又は２記載の固定用ボルト部材を用い、既設の外装材を留めている既設ボルトのねじ軸に、前記固定用ボルト部材のスリーブを被嵌し、該スリーブと既設ボルトのねじ軸とを圧着により固定するとともに、重ね張り材にボルト挿通孔を穿設し、該ボルト挿通孔に連結用ボルトを挿入して重ね張り材を固定することを特徴とする重ね張り材の施工方法。
【請求項４】
重ね張り材の裏面に断熱発泡材層を設け、断熱発泡材層が既設の外装材に当接するように重ね張り材を固定することを特徴とする請求項３記載の重ね張り材の施工方法。
【発明の詳細な説明】
【技術分野】
【０００１】
本発明は、重ね張り材の固定用ボルト部材及び重ね張り材の施工方法に関し、特に、既設の外装材を留めている既設ボルトに、連結用ボルトを専用の工具を用いることなく手動で容易に固定することができる重ね張り材の固定用ボルト部材及び重ね張り材の施工方法に関するものである。
【背景技術】
【０００２】
例えば、スレート波板や折板等で葺かれた屋根や外壁の補修又は改修を行う際には、既設の屋根材や外壁材を撤去することなく、重ね張り用の屋根材や外壁材を重ね張りすることが行われている。
既設屋根上への重ね張り用屋根材の固定には、既設の屋根材固定用のフックボルトの屋根材上面からの突出部分を利用した、様々な固定方法が提案されている。
【０００３】
しかし、このフックボルトは、時間の経過によって錆びたり、破損していることが多く、ねじがきかない状態になっており、通常は、屋根材固定のためにそのまま再利用することはできない。
そこで、下記特許文献１には、既設屋根を固定しているフックボルト上に、頭部を下にしてボルトを載置し、これら両ボルトを金属製のパイプ内に挿入し、この挿入した金属製のパイプを、両ボルトのナットと頭部の部分とでそれぞれ圧着することにより両ボルトを連結するボルトの連結方法が開示されている。
【０００４】
しかしながら、上記ボルトの連結方法では、金属製のパイプをボルトのナットや頭部に６角に圧着することから、油圧又は空気圧式で、押圧部とアーム部とが６角形状の専用のボルトコネクタが必要であり、広い面積を施工する場合には、作業効率向上のためにこのような専用のボルトコネクタを複数台屋根上に持ち上げて作業する必要があった。
【特許文献１】特開平５−１５６７５２号公報
【発明の開示】
【発明が解決しようとする課題】
【０００５】
本発明は、上記従来の重ね張り材の固定用ボルト部材及び重ね張り材の施工方法が有する問題点に鑑み、既設の外装材を留めている既設ボルトに、連結用ボルトを専用の工具を用いることなく手動で容易に固定することができる重ね張り材の固定用ボルト部材及び重ね張り材の施工方法を提供することを目的とする。
【課題を解決するための手段】
【０００６】
上記目的を達成するため、本発明の重ね張り材の固定用ボルト部材は、既設の外装材を留めている既設ボルトのねじ軸に被嵌し、圧着により該ねじ軸に固定されるビッカース硬さが５５〜１２０の金属からなる円筒状のスリーブと、該スリーブの上部に固定された連結用ボルトとを備えたことを特徴とする。
【０００７】
また、連結用ボルトの先端部を円錐状に尖らせることができる。
【０００８】
一方、同じ目的を達成するため、本発明の重ね張り材の施工方法は、上記本発明の固定用ボルト部材を用い、既設の外装材を留めている既設ボルトのねじ軸に、前記固定用ボルト部材のスリーブを被嵌し、該スリーブと既設ボルトのねじ軸とを圧着により固定するとともに、重ね張り材にボルト挿通孔を穿設し、該ボルト挿通孔に連結用ボルトを挿入して重ね張り材を固定することを特徴とする。
【０００９】
この場合において、重ね張り材の裏面に断熱発泡材層を設け、断熱発泡材層が既設の外装材に当接するように重ね張り材を固定することができる。
【発明の効果】
【００１０】
本発明の重ね張り材の固定用ボルト部材によれば、既設の外装材を留めている既設ボルトのねじ軸に被嵌し、圧着により該ねじ軸に固定されるビッカース硬さが５５〜１２０の金属からなる円筒状のスリーブと、該スリーブの上部に固定された連結用ボルトとを備えることから、既設ボルトのねじ軸にスリーブを被せてかしめることにより、ねじ軸のねじの凹凸でスリーブの内壁面に凹凸を形成し、これらの嵌合によりスリーブを既設ボルトに強固に固定することができ、また、円筒状の金属製のスリーブを円柱状のねじ軸に圧着することから、スリーブは、汎用の圧着端子・スリーブ用の手動圧着工具で挟んで締め付ける程度で圧着・固定することができる。
この場合、特に、スリーブに、ビッカース硬さが５５〜１２０の金属からなる円筒状のスリーブを用いることにより、ねじ軸のねじの凹凸で容易にスリーブ内壁面に凹凸を形成するとともに、スリーブのかしめ固定をより小さな力で行うことができる。
【００１１】
また、連結用ボルトの先端部を円錐状に尖らせることにより、重ね張り材を連結用ボルトに圧接することで、円錐状の先端部によって重ね張り材の表面を突出させることができ、その突出点を目安にしてボルト挿通孔を容易に穿孔することができる。
【００１２】
一方、本発明の重ね張り材の施工方法によれば、上記本発明の固定用ボルト部材を用い、既設の外装材を留めている既設ボルトのねじ軸に、前記固定用ボルト部材のスリーブを被嵌し、該スリーブと既設ボルトのねじ軸とを圧着により固定するとともに、重ね張り材にボルト挿通孔を穿設し、該ボルト挿通孔に連結用ボルトを挿入して重ね張り材を固定することから、既設の外装材を留めている既設ボルトに、連結用ボルトを専用の工具を用いることなく手動で容易に固定するとともに、該連結用ボルトを使用して、重ね張り材を既設の外装材に容易に重ね張りすることができる。
【００１３】
この場合、重ね張り材の裏面に断熱発泡材層を設け、断熱発泡材層が既設の外装材に当接するように重ね張り材を固定することにより、断熱効果を向上させながら重ね張り材を外装材に安定した状態で重ね張りすることができる。
【発明を実施するための最良の形態】
【００１４】
以下、本発明の重ね張り材の固定用ボルト部材及び重ね張り材の施工方法の実施の形態を、図面に基づいて説明する。
【実施例１】
【００１５】
図１〜図２に、本発明の重ね張り材の固定用ボルト部材の一実施例を示す。
この重ね張り材の固定用ボルト部材は、既設の外装材１を留めている既設ボルト２のねじ軸２１に被嵌し、圧着によりねじ軸２１に固定される円筒状の金属製のスリーブ３と、スリーブ３の上部に固定された連結用ボルト４とを備えている。
【００１６】
スリーブ３は、その内径が、既設ボルト２のねじ軸２１の外径寸法より若干大きい程度であり、これにより、スリーブ３を既設ボルト２のねじ軸２１に挿入した際に、連結用ボルト４が傾くことがなく、スリーブ３や連結用ボルト４を真っ直ぐに連結することができる。
また、スリーブ３は、ビッカース硬さが５５〜１２０の銅、銅合金、アルミニウム合金等の容易に変形可能な金属からなり、圧着端子・スリーブ用の汎用ペンチ状の手動圧着工具で挟み、ハンドルを操作して締め付ける程度で圧着・固定することができる（圧着工具として、油圧、空気圧、電動式のものも使用することができる。）。
なお、スリーブ３には、連結用ボルト４や既設ボルト２の挿入長さを一定にするために、軸方向中央に、突き合わせ用凸部（図示省略）が内側に突設されている。
【００１７】
連結用ボルト４は、頭部のないねじ軸だけのボルトからなり、本実施例では、スリーブ３とかしめ圧着により固定しているが、溶接や接着、ねじ結合など、その他の公知の手段によって固定することができ、また、最初から一体に形成することもできる。
連結用ボルト４は、メッキを施した鉄やステンレス製のものが好ましく、ボルトへの加工性を考慮すると、ビッカース硬さが、例えば、１２０より大きいもので、４５０以下のもの、好ましくは、１２０より大きいもので、３８０以下のものを用いるようにする。
連結用ボルト４を上記の硬さにすることにより、スリーブ３と圧着固定するときに、連結用ボルト４のねじの凹凸でスリーブ３の内壁面に凸凹が形成され、より強固に固定することができる。
【００１８】
本実施例では、連結用ボルト４の先端部４１を円錐状に尖らせており、図１（ｂ）や図２に示すように、重ね張り材５を連結用ボルト４に圧接することで、円錐状の先端部４１によって重ね張り材５の表面を突出させることができ、その突出点を目安にしてホールソー６等によりボルト挿通孔５１を容易に穿孔することができる。
そして、重ね張り材５がポリカーボネートや塩化ビニルなどの合成樹脂製で、その肉厚が薄い場合は、円錐状の先端部４１に重ね張り材５の裏面を圧接するだけで、円錐状の先端部４１が重ね張り材５を貫通できるため施工の手間を大幅に省くことができる。
ここで、円錐状の先端部４１は、本実施例のものにおいては、連結用ボルト４の先端が全面で円錐状に尖った形状にしているが、この場合、重ね張り材５を圧接した時に先端部４１が重ね張り材５を貫通して貫通孔の周囲にクラックを生じることがある。
このため、図３に示す変形実施例のように、先端部に設けた円錐状の先端部の周囲に平坦部４１ａを設けることで、この平坦部４１ａが貫通防止面となって先端部４１が重ね張り材５を完全に貫通してしまうことがなくなり、クラックの発生を防止することができる。なお、この変形実施例においては、連結用ボルト４は、スリーブ３とねじ結合によって固定するようにしている。
また、連結用ボルト４の先端部４１の尖鋭さは、怪我をしない程度に先端が丸まっていることが好ましい。
また、この連結用ボルト４の先端部４１は、施工後に、袋ナットで被覆したり、切除するようにしてもよい。さらに、尖鋭な先端部４１は、別体として連結用ボルト４に螺合しておく等、着脱が可能な構成にしてもよい。
【００１９】
次に、図１〜図２を参照して、本発明の重ね張り材の施工方法の実施例を説明する。
この重ね張り材の施工方法は、上記実施例の固定用ボルト部材を用い、既設の外装材１を留めている既設ボルト２のねじ軸２１に、前記固定用ボルト部材のスリーブ３を被嵌し、スリーブ３と既設ボルト２のねじ軸２１とを圧着により固定するとともに、重ね張り材５にボルト挿通孔５１を穿設し、ボルト挿通孔５１に連結用ボルト４を挿入して重ね張り材５を固定する。
【００２０】
外装材１や重ね張り材５は、屋根や外壁を含み、波板や折板、その他の外装用板材からなる。
重ね張り材５は、金属製や合成樹脂製のものを用いることができるが、防錆性、施工性や軽量性の点で、ポリカーボネートや塩化ビニルなどの合成樹脂製のものが好適である。
この場合、重ね張り材５は通常は単体で固定するが、重ね張り材５の裏面に発泡ポリスチレン、発泡ポリオレフィン、発泡ウレタン等の断熱発泡材層５２を設け、断熱発泡材層５２が既設の外装材１に当接するように重ね張り材５を固定することもできる。
【００２１】
既設の外装材１は、本実施例では、フックボルトを既設ボルト２として、ワッシャ２２とナット２３により固定されている。
このような既設ボルト２に長い突出部がある場合は、図１（ａ）に示すように、クリッパー６１等でカットし、突出長さを揃えることが好ましく、例えば、ナット２３からの突出長さを１０ｍｍ程度にしておくことができる。
【００２２】
このように長さを揃えた既設ボルト２に、固定用ボルト部材のスリーブ３を被嵌し、スリーブ３と既設ボルト２のねじ軸２１とをかしめ圧着により固定する。
この場合、圧着による連結強度は、耐風性等を考慮して２ｋＮ以上が好ましいが、上記方法で圧着した場合の連結強度は、４．８ｋＮ、４．３ｋＮ、３．６ｋＮであり、充分な強度を有していた。
そして、重ね張り材５にボルト挿通孔５１を穿設し、ボルト挿通孔５１に連結用ボルト４を挿入し、止水用パッキン４２や波板の押さえ金具４３、ワッシャ４４等を介してナット４５により重ね張り材５を固定する。
【００２３】
また、図２に示すように、波板からなる重ね張り材５を保護するため、スリーブ３の上端に、一体又は別体に、ドーム状の裏あて部材７を設けることもできる。
この裏あて部材７は、ナット４５の過剰な締付圧による破損から合成樹脂製の波板を保護するとともに、大きめのボルト挿通孔５１内に食込んだ止水用パッキン４２を支持するので、止水用パッキン４２の破損防止と、潰し圧の逃げ防止による止水性の向上とを図ることができる。
【００２４】
かくして、本実施例の既設の外装材１を留めている既設ボルト２のねじ軸２１に被嵌し、圧着によりねじ軸２１に固定される円筒状の金属製のスリーブ３と、スリーブ３の上部に固定された連結用ボルト４とを備えることから、既設ボルト２のねじ軸２１にスリーブ３を被せてかしめることにより、ねじ軸２１のねじの凹凸でスリーブ３の内壁面に凹凸を形成し、これらの嵌合によりスリーブ３を既設ボルト２に強固に固定することができ、また、円筒状の金属製のスリーブ３を円柱状のねじ軸２１に圧着することから、スリーブ３は、汎用の圧着端子・スリーブ用の手動圧着工具で挟んで締め付ける程度で圧着・固定することができる。
【００２５】
この場合、スリーブ３に、ビッカース硬さが５５〜１２０の金属からなる円筒状のスリーブ３を用いることにより、ねじ軸２１のねじの凹凸で容易にスリーブ内壁面に凹凸を形成するとともに、スリーブ３のかしめ固定をより小さな力で行うことができる。
【００２６】
また、連結用ボルト４の先端部４１を円錐状に尖らせることにより、重ね張り材５を連結用ボルト４に圧接することで、円錐状の先端部４１によって重ね張り材５の表面を突出させることができ、その突出点を目安にしてボルト挿通孔５１を容易に穿孔することができる。
【００２７】
一方、本実施例の重ね張り材の施工方法によれば、上記本実施例の固定用ボルト部材を用い、既設の外装材１を留めている既設ボルト２のねじ軸２１に、前記固定用ボルト部材のスリーブ３を被嵌し、スリーブ３と既設ボルト２のねじ軸２１とを圧着により固定するとともに、重ね張り材５にボルト挿通孔５１を穿設し、ボルト挿通孔５１に連結用ボルト４を挿入して重ね張り材５を固定することから、既設の外装材１を留めている既設ボルト２に、連結用ボルト４を専用の工具を用いることなく手動で容易に固定するとともに、連結用ボルト４を使用して、重ね張り材５を既設の外装材１に容易に重ね張りすることができる。
【００２８】
この場合、重ね張り材５の裏面に断熱発泡材層５２を設け、断熱発泡材層５２が既設の外装材１に当接するように重ね張り材５を固定することにより、断熱効果を向上させながら重ね張り材５を外装材１に安定した状態で重ね張りすることができる。
【００２９】
以上、本発明の重ね張り材の固定用ボルト部材及び重ね張り材の施工方法について、その実施例に基づいて説明したが、本発明は上記実施例に記載した構成に限定されるものではなく、その趣旨を逸脱しない範囲において適宜その構成を変更することができる。
【産業上の利用可能性】
【００３０】
本発明の重ね張り材の固定用ボルト部材及び重ね張り材の施工方法は、既設の外装材を留めている既設ボルトに、連結用ボルトを専用の工具を用いることなく手動で容易に固定することができるという特性を有していることから、重ね張り材の施工に広く好適に用いることができる。
【図面の簡単な説明】
【００３１】
【図１】本発明の重ね張り材の固定用ボルト部材及び重ね張り材の施工方法の一実施例を示す施工工程図である。
【図２】同拡大断面図である。
【図３】スリーブ及び連結用ボルトの変形実施例を示し、（ａ）はスリーブと連結用ボルトをねじ結合した状態の説明図、（ｂ）はスリーブの説明図である。
【符号の説明】
【００３２】
１    既設の外装材
２    既設ボルト
２１  ねじ軸
２２  ワッシャ
２３  ナット
３    スリーブ
４    連結用ボルト
４１  先端部
４２  止水用パッキン
４３  波板の押さえ金具
４４  ワッシャ
４５  ナット
５    重ね張り材
５１  ボルト挿通孔
５２  断熱発泡材層
６    ホールソー
６１  クリッパー
７    裏あて部材
【図１】
2010018995.tif 000003
【図２】
2010018995.tif 000004
【図３】
2010018995.tif 000005